(57)【要約】【課題】本発明は、開いた本の上下余白部分を同時に押えて、平らな紙面を保つための装置である。通常は文鎮を載せたり、クリップで挟んだりしているが、それだと字面が隠れてしまったり、いびつに歪んでしまったりして、読み辛い時もしばしばあって、不本意なため、本の上下を同時に押えて常に安定した紙面を保つことのできる、ページ押え装置を提供する。【手段】取扱い易い大きさ、形とした台座の手元側及び上部に、ページ押え金具の装置の主要部分を組み込んだケースを設ける。上部のケースは本の大きさに応じて移動させて固定できるものとし、連結棒を介して上下の押え金具が連動して作動できる仕組みとする。押え金具の開閉、及び押える力は、コイルバネの張力を応用したものとする。【選択図】図１
2007083695.tif 000002
【特許請求の範囲】
【請求項１】
縦に長い台座の手元側の端近くと上部に、ページを押えるための金具の装置の主要部分を組み込んだケースを設けるが、手元側のケースは完全固定とし、上部のものは前後に移動して固定できるものとする。なお、ページを押えるための金具の開閉及び押える力は、ページ押え金具の主軸の１部に加工を施して、軸芯からある一定の角度で位置をずらしたところをコイルバネの片方の結合箇所として、その張力を利用したものとする。また、両方のページ押え金具を、連結棒と連結金具を用いて連結することにより、同時に作動する仕組みとする。
以上の構成よりなる、簡単な操作で書物の上下を同時に押えることのできるページ押え装置。
【請求項２】
両方のページ押え金具を同時に作動させるために、ページ押え金具の主軸の片端に、開閉に伴って下に向かって振り子のように動くある一定の長さの金具を取り付け、その先端に付いている短い丸棒を、連結するための棒材に固定して設けた金具の、縦長の溝の中でスライド移動させることにより、円運動を棒材の直線運動に変えると共に、上部にも同じ仕組みでありながら、主軸から上に向かって振り子のように作用する金具を設け、棒材の前後に移動する力を、押え金具の開閉する力に変換する構造とし、その仕組みを台座に埋め込むかたちで設置した。請求項１の、簡単な操作で書物の上下を同時に押えることのできるページ押え装置。
【発明の詳細な説明】
【技術分野】
【０００１】  本発明は、読書をするためだけにも利用できるが、それよりも、机のかたわらに置いた書物を資料として筆記、あるいはパソコンに入力するといった作業をする時に、開いた本が型崩れすることなく平らな紙面を保った状態で押えることができることにより、仕事の効率化を図ったものである。
【背景技術】
【０００２】  従来、開いた本が閉じないための手段としての多くは、文鎮をはじめとした重しを紙面の上に載せるか、あるいは、上下の余白部分をクリップなどで挟んで止める方法が採られている。特殊なものとしては、寝た姿勢で手を添えずに本を読むといったような、様々な条件下で読書するための、工夫を凝らしたページ押え台が用意されている。
【発明の開示】
【発明が解決しようとする課題】
【０００３】  紙面に重しを載せたり、上下をクリップで挟む方法には、次のような問題があった。
開いた本の左右のページ数が極端に違う場合、重しを上下の余白部分に載せることははなはだ困難であるため、中程にのせなければならないが、それだと字面が隠れて読み辛い。クリップで止める方法の場合、上下どちらかの余白部分の綴じ目部分を挟むと、ページ数の少ない側の紙面が極端に歪んでしまうので、上下を共に挟まないと平らな紙面にならないため、２度手間である。
本発明は、以上のような問題点を解決して、少ない準備、簡単な操作でより確かに紙面の上下余白部分を押えるための装置である。
【課題を解決するための手段】
【０００４】  装置を設置するための台座は、あまり場所をとらず、取り扱い易い大きさ、形の板材とする。そのためには、板材の横幅を、ページ押え金具の横幅とほぼ同じものとし、Ａ４サイズの本を縦にして利用できる位を縦幅とする。
押えるための金具は、機能するための十分な強度を保ちつつも、なるべく細い棒材を用い、５ｃｍ厚位までの本を押えることができるように曲げ加工を施したものとする。そしてその装置の主要部分を、ケースの中に組み込む仕組みとして、対で設けたうちの片方、上部のケースは前後に移動させて固定できるものとする。
ページを押える金具の開閉及び押える力は、その金具の主軸の一部に加工を施して、軸の中心からある一定の角度で位置をずらしたところをコイルバネの片方の結合箇所として、その張力を応用したものとする。また、両方のページ押え金具を同時に作動させるために、ページ押え金具の主軸の片端に、開閉に伴って下に向かって振り子のように動くある一定の長さの金具を接合して１体化し、その先端に付いている短い丸棒を、前後に移動する長い棒材に固定して設けた金具の、縦長の溝の中でスライド移動させることにより、円運動を棒材の直線運動に変えると共に、上部にも、同じ仕組みでありながら、主軸から上に向かって振り子のように作用する金具を設けて、棒材の前後に移動する力を、押え金具の開閉する力に変換する構造とする。
本発明は以上の構成よりなる、簡単な操作で書物の上下を同時に押えることのできるページ押え装置である。
【発明の効果】
【０００５】  本発明を利用するには、使い始めに２、３の位置決め固定とバネ圧の調整を済ませば、あとは操作ハンドルを半ひねりすることによって開閉することができるため、本のページを繰りながら同じ作業を長時間する時など、余分な気苦労をすることなく作業を続けることができるので、疲れずに効率良く仕事ができる。また、開いた本の左右のページ数が極端に違う場合でも、薄い側の紙面が持ち上がるかたちで押えることができるため、大半の本は常により読み易い平らな紙面を保つことができる。さらに付言すれば、操作がひねる動作であるため、上下を同時に動かしているにもかかわらず、殊のほか軽い感触で作動できる。そして、ページ押え金具の根元の位置に消しゴムなどのかいものをして途中でとめれば、原稿用紙などの薄い冊子も、潰さずにやわらかく押えることができる。
【発明を実施するための最良の形態】
【０００６】  以下、本発明の実施の形態を説明する。
（イ）装置を設置するための台座、つまり支持板（１）は、あまり大き過ぎると取り扱いに困るので、横幅をページ押え金具（３）とほぼ同じ位の１０ｃｍ前後にとどめ、Ａ４サイズの縦幅の本を載せて利用できる位の長さを限度として、なるべく軽量な板材を用いる。またその厚さは、支持板（１）に埋め込むかたちで設ける連結棒（５）連結金具（６）及びケース連結金具（９）が十分に機能する範囲内でコンパクトにして、可能な限り薄くした平板とする。
（ロ）支持板（１）の側面は、表面がＲ状になった縁取り金具（１９）で囲い、支持板（１）の上端に設けた支持板スタンド（２０）を起して利用する時や、大版の本を載せた時などに、嵌めこむ方法で取り付ける補助板（２４）を、装着やしやすくすると共に、取り扱う上での安全性、手触りの良さも向上させる。
（ハ）支持板（１）の手元側端部分と上部に、ページ押え金具（３）の装置の主要部分を組み込んだ、組み込みケース（２）を設けるが、手元側のものは完全固定として、上部のそれは、載せる本の大小に応じて前後に移動させて固定できる構造とする。
（ニ）ページ押え金具は、設定した強度を保つ範囲内でできるだけ細い棒材を用い、厚さ５ｃｍ位までの本を押えることのできる長さ、形状のアームとして、利用者の目障りにならないことも、その形に配慮する。
（ホ）ページ押え金具（３）は、組み込みケース（２）内に設けた主軸と接合して一体化したものであるが、その開閉、及び押える力は、組み込みケース（２）の背部、上部のケースにおいては前面の１箇所と、主軸の一部に加工を施した、軸芯とは異なる位置をコイルバネによって結合することにより、その張力を利用するものとするが、バネの両側の結合点と中心軸が１本の線となる位置が、開閉の力の働く分岐点となるために、５ｃｍ厚の本を押えてもまだ余力が残る位置を分岐点とすると共に、バネの結合箇所は、使用するバネの張力と、ケースの大きさを考慮したものとする。なお、上部の押え圧補助バネ（１５）は、使用頻度を長く重ねた時に、連結金具（６）（７）の磨耗によって生じるであろう押え圧のアソビを補うためのものであるため、手元側のバネの押え圧調整ネジの利用価値を損なわない程度の張力の弱いものとする。
（ヘ）組み込みケース（２）内のページ押え金具（３）の主軸の位置は、手元側は組み込みケース（２）の前面寄り上段とし、上部のものは背面寄り下段として、連結金具（６）連結アーム金具（７）がより効率的に作用するものとする。
（ト）手元側と上部のページ押え金具（３）を、１つの操作で同時に作動させるためには、連結棒（５）連結金具（６）連結アーム金具（７）を設けるが、その方法は、手前側組み込みケース（２）内の主軸の軸受けの外側に、ページ押え金具（３）の開閉に伴って下向きに振り子のように動く位置、角度で連結アーム金具（７）を、主軸と接合して一体化し、その先端に付いている短い丸棒が、連結棒（５）に完全固定して設けた連結金具（６）の、丸棒の径とその横幅を同じくした縦長の溝の中をスライド移動することによって、中心軸の円運動を連結棒（５）による直線運動に変える。当然、ページ押え金具（３）の開閉に伴って、前後に２ｃｍ程連結棒（５）が移動するが、その作用を上部のページ押え金具（３）の開閉の動作に変換するためには、上部の組み込みケース（２）内にも移動して固定できる連結金具（６）を設け、その金具の縦長の溝の中を、手元側のものと同じように連結アーム金具（７）の先端に付いている丸棒がスライド移動することにより、上部のページ押え金具（３）と連動させるが、そのためには、上部の連結アーム金具（７）の振り子のように作用する位置、角度は、主軸から上に向かって左右対称に働くものでなければならない。
（チ）手元側と上部のページ押え金具（３）を連結するに当って最も重要なことは、連結アーム金具（７）の短い丸棒と、それがスライド移動する連結金具（６）の縦長の溝との間にアソビがないこともさることながら、連結アーム金具（７）の主軸から丸棒の芯までの長さと、主軸からページ押え金具（３）の先端までの距離を両方同一にすることである。連結アーム金具（７）の長さが違うと片方が途中までしか作動しないし、ページ押え金具（３）の腕の長さがちぐはぐであれば、同じ角度で下りながらも、途中の高さは異なるので、やはり片側が中途半端な位置で止まってしまう。
（リ）手元側の組み込みケース（２）の最下段に、押え幅調整金具（８）を、組み込みケース（２）の２箇所に貫通するかたちで設けるが、これは、本によって異なる上下の余白部分の広さによって適宜その押える位置を変え、押え幅調整金具固定ネジ（１７）によって固定するものであるが、ページ押え金具（３）がすぐ上にあるため扱い辛いので、組み込みケース（２）内に貫通した丸棒のスライド部分の片方に、押え幅調整金具（８）を押し上げるかたちで働くバネを設け、本の位置をいざらすだけで位置決定できる仕組みとして、もう片方の丸棒には、それを圧えるかたちで固定する押え幅調整金具固定ネジ（１７）を設ける。
（ヌ）上部の組み込みケース（２）内には、組み込みケース（２）を移動して固定するためのケース連結金具（９）を設けるが、これは支持板（１）の上部中程に埋め込むかたちで設けた、コの字の先に両袖を付けたかたちのガイド金具（１１）に片側を組み込んで結合し、組み込みケース（２）を、前後にスライド移動させるためのものであるが、組み込みケース（２）のものが平板なのに対して、溝の中に仕組むものはガイド金具（１１）の袖の部分の厚さより溝幅の部分がほんの僅かに厚くなった凸型の形状として、両方を重ね合わせてしっかりビス止めした状態で安定したかたちで前後にスライド移動するものとする。なお、それを固定するためのケース連結金具固定ネジ（１０）は、ケース連結金具（９）を２分して割り込むかたちで設けるが、その仕組みは、ケース連結金具（９）のガイド溝側部品には溝に嵌まる凸部分があるのに対して、それをなくしたケース連結固定金具（２５）を用い、ケース連結金具固定ネジ（１０）を締めるとガイド金具（１１）の両縁を挟んで固定できる仕組みとする。
（ル）装置を作動するための操作ハンドル（４）は、手元側組み込みケース（２）の外側に、主軸に接合して設けるが、その形状は、限られた空間で最も操作しやすい角度、大きさ、美観も含めて利用し易い形とする。
（ヲ）支持板スタンド（２０）は、必要に応じて支持板（１）を傾斜させる時に利用するものであり、任意の角度でスタンド固定ネジ（２１）によって固定する。すべり止めチューブ（２２）と、支持板の底に貼るすべり止めゴム（２３）は、机を傷つけないためのものであると共に、支持板の下部が机の縁からはみ出すかたちで利用しても、安定した座りを保つためでもある。
（ワ）補助板（２４）は、大版の本を載せる時、あるいは支持板（１）に角度を付けて使用する場合に用いるが、その形状は、薄くて弾力性に富んだ板材を少したわめるようにして装着し、いざることなく支持板（１）にしっかりと密着固定できるものとする。
本発明は以上の構成よりなる。
本発明を使用する場合は、使用するための本の上下余白の広さを確認したのち、ケース連結金具固定ネジ（１０）連結金具固定ネジ（１２）、押え幅調整金具固定ネジ（１７）を解除して手元側のページ押え金具（３）を操作ハンドル（４）によって開き、閉じた本の下側面を押え幅調整金具（８）にあてがって載せ、手元側のページ押え金具（３）を閉じてその上に載せる。そのあと本をいざらせて押さえる位置を決めると、押え幅調整金具固定ネジ（１７）によって固定する。次には、上部のケースを引き寄せて、ページ押え金具（３）を手で持ち上げて本の任意の位置に載せ、ケース連結金具固定ネジ（１０）、連結金具固定ネジ（１２）をしっかり固定する。あとは、操作ハンドル（４）によってページ押え金具（３）を開き、本のページを繰ってその綴じ目が押え幅調整金具（８）の真ん中に位置するかたちで開閉を繰り返す。
【図面の簡単な説明】
【０００７】
【図１】本発明の斜視図
【図２】本発明の下部ケース内を判りやすくした図
【図３】本発明の上部ケース内を判りやすくした図
【図４】本発明の下部ケース内を判りやすくした平面図
【図５】本発明の連結棒部分の縦断面図
【図６】本発明の下部押え金具が開いた状態での仕組図
【図７】本発明の上部押え金具が開いた状態での仕組図
【図８】本発明の上部ケース連結金具部分の縦断面図
【図９】本発明の上部ケース連結金具部分のＡ−Ａ横断面図
【符号の説明】
【０００８】（１）支持板、（２）組み込みケース、（３）ページ押え金具、（４）操作ハンドル  （５）連結棒、（６）連結金具、（７）連結アーム金具、（８）押え幅調整金具、（９）ケース連結金具、（１０）ケース連結金具固定ネジ、（１１）ガイド金具、（１２）連結金具固定ネジ、（１３）溝金具、（１４）押え圧調整バネ、（１５）押え圧補助バネ、（１６）押え圧調整ネジ、（１７）押え幅調整金具固定ネジ、（１８）押え幅調整金具補助バネ、（１９）縁取り金具、（２０）支持板スタンド、（２１）スタンド固定ネジ、（２２）すべり止めチューブ、（２３）すべり止めゴム板、（２４）補助板、（２５）ケース連結固定金具
【図１】
2007083695.tif 000003
【図２】
2007083695.tif 000004
【図３】
2007083695.tif 000005
【図４】
2007083695.tif 000006
【図５】
2007083695.tif 000007
【図６】
2007083695.tif 000008
【図７】
2007083695.tif 000009
【図８】
2007083695.tif 000010
【図９】
2007083695.tif 000011